(57)【特許請求の範囲】
【請求項１】
移動端末と無線接続する複数の基地局と、前記各基地局とコネクティビティサービスネットワーク（ＣＳＮ）とを接続する複数のゲートウェイ（ＧＷ）と、を備え、前記移動端末が一のＧＷ配下の一の基地局から他のＧＷ配下の他の基地局へ無線接続を変更するときのハンドオーバを制御するＷｉＭＡＸＧＷ基地局制御システムであって、
前記一のＧＷは、
前記移動端末が前記一の基地局に無線接続された直後に前記移動端末の接続情報を、前記一の基地局に隣接する他の各基地局に接続される他の各ＧＷへ送信し、
前記他の各ＧＷは、
受信した前記接続情報に基づいて、前記移動端末を予め登録するとともに、登録した前記移動端末が前記一の基地局からハンドオーバしてきた場合に確立することが必要な前記ＣＳＮと通信するための通信経路を予め生成する
ことを特徴とするＷｉＭＡＸＧＷ基地局制御システム。
【請求項２】
請求項１記載のＷｉＭＡＸＧＷ基地局制御システムにおいて、
前記複数のＧＷ中、前記移動端末が最初に登録されたＧＷをアンカーＧＷとし、
前記一のＧＷは、前記接続情報を前記アンカーＧＷを除く前記他の各ＧＷに送信する
ことを特徴とするＷｉＭＡＸＧＷ基地局制御システム。
【請求項３】
請求項１又は２記載のＷｉＭＡＸＧＷ基地局制御システムにおいて、
前記移動端末が、前記一の基地局から同一のアクセスサービスネットワークに属する前記他の基地局にハンドオーバする場合に、
前記他の各ＧＷにより予め生成される前記通信経路は、前記他の基地局から、前記他の各ＧＷ中の当該他のＧＷ、前記アンカーＧＷ及び前記ＣＳＮを経由する通信経路である
ことを特徴とするＷｉＭＡＸＧＷ基地局制御システム。
【請求項４】
請求項１又は２記載のＷｉＭＡＸＧＷ基地局制御システムにおいて、
前記移動端末が、前記一の基地局から異なるアクセスサービスネットワークに属する前記他の基地局にハンドオーバする場合に、
前記他の各ＧＷにより予め生成される前記通信経路は、前記他の基地局から、前記他の各ＧＷ中の当該他のＧＷ、及び前記ＣＳＮを経由する通信経路である
ことを特徴とするＷｉＭＡＸＧＷ基地局制御システム。
【発明の詳細な説明】
【技術分野】
【０００１】
本発明は、移動端末が基地局間でハンドオーバする際の制御を行うゲートウェイ（ＧＷ）及び基地局（ＢＳ）を備えたＷｉＭＡＸＧＷ基地局制御システムに関する。
【背景技術】
【０００２】
次世代の高速移動体通信方式としてＷｉＭＡＸ(Worldwide Interoperability for Microwave Access)が国際的に注目を集めている。
【０００３】
図７は、一般的なＷｉＭＡＸの全体のシステムの説明図である。図７に示すＷｉＭＡＸシステム１００は、移動端末（ＭＳ）１２と、図示しないＡＡＡサーバ等が接続されるＣＳＮ（Connectivity  Service  Network）１４と、前記ＣＳＮ１４に接続するＡＳＮ（Access  Service  Network）１０２とを備えている。
【０００４】
移動端末１２は、通信機能を有するコンピュータや携帯電話等である。ＡＳＮ１０２は、基地局（ＢＳ）１０４ａ、１０４ｂと、ＡＳＮＧＷ（Access  Service  Network  Gateway）１０６ａ、１０６ｂとを備える。基地局１０４ａ、１０４ｂは、移動端末１２と無線通信するための無線装置であり、ＡＳＮＧＷ１０６ａは、ＣＳＮ１４と基地局１０４ａとの通信を制御し、ＡＳＮＧＷ１０６ｂは、ＣＳＮ１４と基地局１０４ｂとの通信を制御する。
【０００５】
移動端末１２が例えば、インターネット接続するために、基地局１０４ａと無線接続して、ＡＳＮＧＷ１０６ａに対して認証要求をし、認証された場合に個別情報（context情報）が生成されて移動端末１２はＡＳＮＧＷ１０６ａの配下として登録（ネットワークエントリ）される。この場合、移動端末１２が、最初に登録されるＡＳＮＧＷ１０６ａを特にアンカーＡＳＮＧＷという。ＡＳＮＧＷ１０６ａに登録されると移動端末１２とＣＳＮ１４との間では、基地局１０４ａ、ＡＳＮＧＷ１０６ａ、ＣＳＮ１４と経由して通信経路が確立される。
【０００６】
移動端末１２が無線接続している基地局１０４ａとの間での無線通信ができなくなる場所に位置した場合に、引き続きインターネット接続するためには、無線通信の接続先を基地局１０４ａから他の基地局、例えば、基地局１０４ｂに変更する必要がある。この移動端末１２が現在、無線接続されている基地局１０４ａから、他の基地局１０４ｂに無線接続先を変更することをハンドオーバという（非特許文献１参照）。
【０００７】
移動端末１２が基地局１０４ａから基地局１０４ｂへハンドオーバした後は、移動端末１２は、基地局１０４ｂからＡＳＮＧＷ１０６ｂ、ＡＳＮＧＷ１０６ａ及びＣＳＮ１４と経由することで、インターネット接続するための通信経路が確立される。
【０００８】
【非特許文献１】WiMAX FORUM 「WiMAX Forum Network Architecture」 ２００７年３月２８日  p.151-191
【発明の開示】
【発明が解決しようとする課題】
【０００９】
しかしながら、移動端末１２が基地局１０４ａから基地局１０４ｂへハンドオーバする場合には、移動端末１２がＡＳＮＧＷ１０６ａに対し登録されたときと同様に、ＡＳＮＧＷ１０６ｂに対する登録及びＣＳＮ１４との間の通信経路の確立が必要である。このＡＳＮＧＷ１０６ｂに対する登録及びＣＳＮ１４との前記通信経路の確立が完了するまでの間は、移動端末１２は、ＣＳＮ１４との間で通信不能になる。
【００１０】
その結果、移動端末１２から送信されたデータがインターネットに対して送信できない又はインターネットから移動端末１２に対して送信されたデータを受信できない、いわゆるパケットロスが発生する期間が生じてしまう。特に、ビデオ・オン・デマンド(VOD：Video On Demand)による動画データの配信や、ＩＰ電話に代表されるVoIP（Voice over Internet Protocol）における音声データの送受信においては、僅かなパケットロスにより使い勝手が低下するため、通信不能時間（パケットロスが発生する期間）が短いハンドオーバが望まれている。
【００１１】
本発明は、上記の課題を考慮してなされたものであって、移動端末がハンドオーバする際の通信不能時間を短くするＷｉＭＡＸＧＷ基地局制御システムを提供することを目的とする。
【課題を解決するための手段】
【００１２】
本発明に係るＷｉＭＡＸＧＷ基地局制御システムは、移動端末と無線接続する複数の基地局と、前記各基地局とコネクティビティサービスネットワーク（ＣＳＮ）とを接続する複数のゲートウェイ（ＧＷ）と、を備え、前記移動端末が一のＧＷ配下の一の基地局から他のＧＷ配下の他の基地局へ無線接続を変更するときのハンドオーバを制御するＷｉＭＡＸＧＷ基地局制御システムである。
【００１３】
ＷｉＭＡＸＧＷ基地局制御システムでは、前記一のＧＷは、前記移動端末が前記一の基地局に無線接続された直後に前記移動端末の接続情報を、前記一の基地局に隣接する他の各基地局に接続される他の各ＧＷへ送信し、前記他の各ＧＷは、受信した前記接続情報に基づいて、前記移動端末を予め登録するとともに、登録した前記移動端末が前記一の基地局からハンドオーバしてきた場合に確立することが必要な前記ＣＳＮと通信するための通信経路を予め生成することにより、前記移動端末がハンドオーバする際の通信不能時間を短くすることできる。
【００１４】
また、ＷｉＭＡＸＧＷ基地局制御システムでは、前記複数のＧＷ中、前記移動端末が最初に登録されたＧＷをアンカーＧＷとし、前記一のＧＷは、前記接続情報を前記アンカーＧＷを除く前記他の各ＧＷに送信し、又は、前記移動端末が、前記一の基地局から同一のアクセスサービスネットワークに属する前記他の基地局にハンドオーバする場合に、前記他の各ＧＷにより予め生成される前記通信経路は、前記他の基地局から、前記他の各ＧＷ中の当該他のＧＷ、前記アンカーＧＷ及び前記ＣＳＮを経由する通信経路である。
【００１５】
さらに、前記移動端末が、前記一の基地局から異なるアクセスサービスネットワークに属する前記他の基地局にハンドオーバする場合に、前記他の各ＧＷにより予め生成される前記通信経路は、前記他の基地局から、前記他の各ＧＷ中の当該他のＧＷ、及び前記ＣＳＮを経由する通信経路である。
【発明の効果】
【００１６】
本発明によれば、前記移動端末が前記一の基地局から前記他の基地局へハンドオーバする際の通信不能時間を短くすることでき、また、ハンドオーバを伴う移動端末１２の移動の際に移動速度を上げることができる。
【発明を実施するための最良の形態】
【００１７】
以下、本発明の実施形態について図面を参照して説明する。図１は、本発明の実施形態に係るＷｉＭＡＸＧＷ基地局制御システム１０の構成の説明図であり、図２は、基地局１８ａ〜１８ｈの配置及び各基地局と移動端末１２との無線通信可能な範囲の説明図であり、図３は、ＡＳＮＧＷ２０ａ〜２０ｈの構成の説明図である。なお、図２では、基地局１８ａの周りに基地局１８ｂ〜１８ｈが配置されているが、図１では、説明上、基地局１８ｃ〜１８ｇ、ＡＳＮＧＷ２０ｃ〜２０ｇを省略している。また、図７に示したＷｉＭＡＸシステム１００と同一の構成要素には同一の符号を付し、その詳細な説明を省略する。
【００１８】
ＷｉＭＡＸＧＷ基地局制御システム１０は、移動端末１２と、ＣＳＮ１４と、前記ＣＳＮ１４に接続するＡＳＮ１６とを備えている。ＡＳＮ１６は、基地局１８ａ〜１８ｈと、ＡＳＮＧＷ２０ａ〜２０ｈとを備え、ＡＳＮＧＷ２０ａ〜２０ｈは、移動端末１２がハンドオーバした際の通信不能時間を最小限に抑える機能を備えるゲートウェイである。図１では、基地局１８ａは、ＡＳＮＧＷ２０ａと接続され、基地局１８ｂは、ＡＳＮＧＷ２０ｂと接続され、基地局１８ｈは、ＡＳＮＧＷ２０ｈと接続される。他の基地局１８ｃ〜１８ｇは、同様にＡＳＮＧＷ２０ｃ〜２０ｇの各々と接続される。また、図２に示すように、基地局１８ａの周囲には基地局１８ｂ〜１８ｇが隣接して配置され、基地局１８ｂ〜１８ｇの周囲にさらに基地局１８ｈが配置されている。
【００１９】
ＡＳＮＧＷ２０ａ〜２０ｈの各々は、隣接する基地局及びそれが接続されているＡＳＮＧＷの情報が記憶されるデータベース部３０ａ〜３０ｈと、移動端末１２がハンドオーバする前に予め隣接するＡＳＮＧＷに将来のハンドオーバを予告する旨を送信するハンドオーバ初期設定部３２ａ〜３２ｈと、移動端末１２のハンドーオーバの全体的な制御をするハンドオーバ制御部３４ａ〜３４ｈと、アンカーＡＳＮＧＷから個別情報の取得処理をする個別情報管理部３６ａ〜３６ｈと、アンカーＡＳＮＧＷに対して仮認証する認証管理部３８ａ〜３８ｈと、通信経路の生成や削除を行う経路制御部４０ａ〜４０ｈと、ＡＳＮＧＷ内の通信及び他のＡＳＮＧＷとの通信制御をするインターフェース部４２ａ〜４２ｈとを備える。ＡＳＮＧＷ２０ａ〜２０ｈの相互間は接続されて、いわゆるＲ４通信経路が生成されている。
【００２０】
次に、移動端末１２が基地局（一の基地局）１８ａから基地局１８ｂにハンドオーバする場合を、図４に示すＷｉＭＡＸＧＷ基地局制御システム１０の通信制御の説明図を用いて説明する。ＷｉＭＡＸＧＷ基地局制御システム１０では、移動端末１２が、最初にＡＳＮＧＷ２０ｈの配下に登録され、基地局１８ｈと接続するＡＳＮＧＷ２０ｈに個別情報が登録される。従って、ＡＳＮＧＷ２０ｈがアンカーＡＳＮＧＷとなる。また、移動端末１２は、この登録の際に、基地局１８ｈを介して接続情報としてＡＳＮＧＷ２０ｈを識別するためのＩＤを取得する。
【００２１】
本実施形態では、移動端末１２が基地局１８ｈからの移動を経て基地局１８ａへのハンドオーバが完了した後に基地局１８ｂへハンドオーバする場合について説明する。
【００２２】
移動端末１２が基地局１８ａと通信可能な範囲内に移動し、移動端末１２がＡＳＮＧＷ２０ａの配下に登録される（ステップＳ１）。移動端末１２のＡＳＮＧＷ２０ａに対する登録の結果、基地局１８ａからＡＳＮＧＷ２０ａ、ＡＳＮＧＷ２０ｈ及びＣＳＮ１４と経由する通信経路が確立される。
【００２３】
ＡＳＮＧＷ２０ａのハンドオーバ初期設定部３２ａは、移動端末１２が基地局１８ａと無線接続し、ＡＳＮＧＷ２０ａの配下に登録された直後に、データベース部３０ａに予め登録されている基地局１８ａに隣接する基地局１８ｂ〜１８ｇを確認して、基地局１８ｂ〜１８ｇが接続されているＡＳＮＧＷ２０ｂ〜２０ｇに対してメッセージとして「Pre＿Ho＿Request」を送信する（ステップＳ２）。このメッセージ「Pre＿Ho＿Request」には、移動端末１２が取得した接続情報が含まれている。なお、図２では、基地局１８ａと基地局１８ｈは隣接していないので、ハンドオーバ初期設定部３２ａは、メッセージ「Pre＿Ho＿Request」を基地局１８ｈに送信しない。また、基地局１８ａと基地局１８ｈが隣接している場合であっても、基地局１８ｈは自身がアンカーＡＳＮＧＷであることから、ハンドオーバ初期設定部３２ａは、基地局１８ｈに対してメッセージ「Pre＿Ho＿Request」を送信しない。
【００２４】
ＡＳＮＧＷ２０ｂ〜２０ｇの各々がメッセージ「Pre＿Ho＿Request」を受信すると、ＡＳＮＧＷ２０ｈとの間で移動端末１２に関する処理をする（ステップＳ３）。具体的には、ＡＳＮＧＷ２０ｂ〜２０ｇの各個別情報管理部３６ｂ〜３６ｇは、メッセージ「Pre＿Ho＿Request」に含まれる移動端末１２の接続情報からＡＳＮＧＷ２０ｈのＩＤを取得し、ＡＳＮＧＷ２０ｈから移動端末１２の個別情報を取得して、ＡＳＮＧＷ２０ｂ〜２０ｇの各認証管理部３８ｂ〜３８ｇに移動端末１２を仮認証登録をする。また、ＡＳＮＧＷ２０ｂ〜２０ｇの各経路制御部４０ｂ〜４０ｇは、取得したＡＳＮＧＷ２０ｈのＩＤに基づいて、ＣＳＮ１４との仮通信経路を生成する。例えば、移動端末１２がハンドオーバ先である基地局１８ｂにおける仮通信経路は、基地局１８ｂからＡＳＮＧＷ２０ｂ、ＡＳＮＧＷ２０ｈ及びＣＳＮ１４と生成される。
【００２５】
移動端末１２は、基地局１８ａに対してハンドオーバの要求として、メッセージ「HO＿REQUEST」を送信する（ステップＳ４）。このメッセージ「HO＿REQUEST」には、移動端末１２が隣接する無線接続が可能な基地局を識別するＩＤが含まれている。基地局１８ａに対しては、基地局１８ｂ〜１８ｇが無線接続が可能な隣接する基地局であり、基地局１８ｂ〜１８ｇを識別するためのＩＤが「HO＿REQUEST」に含まれている。
【００２６】
基地局１８ａは、移動端末１２からメッセージ「HO＿REQUEST」を受信すると、ＡＳＮＧＷ２０ａのハンドオーバ制御部３４ａは、メッセージ「HO＿REQUEST」に含まれているＩＤに対応する基地局１８ｂ〜１８ｇと接続されているＡＳＮＧＷ２０ｂ〜２０ｇに対して、メッセージ「Ho＿Request」を送信する（ステップＳ５）。
【００２７】
メッセージ「Ho＿Request」を受信したＡＳＮＧＷ２０ｂ〜２０ｇの各ハンドオーバ制御部３４ｂ〜３４ｇは、移動端末１２の基地局１８ａからのハンドオーバの可否を判断し、その結果をメッセージ「Ho＿Response」としてＡＳＮＧＷ２０ａに送信する（ステップＳ６）。
【００２８】
メッセージ「Ho＿Response」を受信したＡＳＮＧＷ２０ａでは、ハンドオーバ制御部３４ａが、メッセージ「Ho＿Response」の中からハンドオーバが可能である基地局を抽出し、抽出後のデータを含むメッセージ「HO＿RESPONSE」を基地局１８ａを介して移動端末１２に送信する（ステップＳ７）。
【００２９】
移動端末１２は、受信したメッセージ「HO＿RESPONSE」からハンドオーバ先であるTaget基地局として基地局１８ｂを選び、基地局１８ｂのＩＤを含むメッセージ「HO＿START」を基地局１８ａに送信する（ステップＳ８）。
【００３０】
メッセージ「HO＿START」を受信したＡＳＮＧＷ２０ａでは、ハンドオーバ制御部３４ａが、ＡＳＮＧＷ２０ｂに対して移動端末１２がハンドオーバをする旨を送信し、受信したＡＳＮＧＷ２０ｂではハンドオーバ制御部３４ｂがＡＳＮＧＷ２０ａに対して移動端末１２のハンドオーバを受け入れる旨を返信する（ステップＳ９）。
【００３１】
移動端末１２が基地局１８ｂと通信可能な範囲内に移動し、基地局１８ｂのハンドオーバ制御部３４ｂが移動端末１２の通信可能範囲内への移動を確認した後に、移動端末１２からの認証要求をＡＳＮＧＷ２０ｂに通知する。認証管理部３８ｂではこの認証要求と、ＡＳＮＧＷ２０ｈから既に取得済みの移動端末１２の個別情報とを照合し、一致を確認すると経路制御部４０ｂは、既に生成した仮通信経路を利用して、基地局１８ｂからＡＳＮＧＷ２０ｂ、ＡＳＮＧＷ２０ｈ及びＣＳＮ１４を経由する通信経路を確立する（ステップＳ１０）。
【００３２】
ＡＳＮＧＷ２０ｂでは、移動端末１２とＣＳＮ１４との通信経路を確立するとハンドオーバ制御部３４ｂは、メッセージ「Ho＿Complete」を基地局１８ａに送信する（ステップＳ１１）。
【００３３】
メッセージ「Ho＿Complete」を受信した基地局１８ａでは、経路制御部４０ａは、移動端末１２とＣＳＮ１４との間で確立していた通信経路を削除する（ステップＳ１２）。
【００３４】
以上説明したように、ＷｉＭＡＸＧＷ基地局制御システム１０では、移動端末１２と無線接続する複数の基地局１８ａ〜１８ｈと、基地局１８ａ〜１８ｈとＣＳＮ１４とを接続する複数のＡＳＮＧＷ２０ａ〜２０ｈと、を備え、移動端末１２がＡＳＮＧＷ２０ａ配下の基地局１８ａからＡＳＮＧＷ２０ｂ配下の基地局１８ｂへ無線接続を変更するときのハンドオーバを制御するシステムである。
【００３５】
ＷｉＭＡＸＧＷ基地局制御システム１０では、ＡＳＮＧＷ２０ａは、移動端末１２が基地局１８ａに無線接続された直後に移動端末１２の接続情報を、基地局１８ａに隣接する基地局１８ｂ〜１８ｇに接続されるＡＳＮＧＷ２０ｂ〜２０ｇへ送信し、ＡＳＮＧＷ２０ｂ〜２０ｇは、受信した前記接続情報に基づいて、移動端末１２を予め登録するとともに、登録した移動端末１２が基地局１８ａからハンドオーバしてきた場合に確立することが必要なＣＳＮ１４と通信するための通信経路を予め生成する。
【００３６】
また、ＷｉＭＡＸＧＷ基地局制御システム１０では、ＡＳＮＧＷ２０ａ〜２０ｈ中、移動端末１２が最初に登録されたＧＷをＡＳＮＧＷ（アンカーＡＳＮＧＷ）２０ｈとし、ＡＳＮＧＷ２０ａは、前記接続情報をＡＳＮＧＷ２０ｈを除くＡＳＮＧＷ２０ｂ〜２０ｇに送信する。また、移動端末１２が、基地局１８ａから同一のＡＳＮ１６に属するＡＳＮＧＷ２０ｂ〜２０ｇにハンドオーバする場合に、ＡＳＮＧＷ２０ｂにより予め生成される前記通信経路は、基地局１８ｂから、ＡＳＮＧＷ２０ｂ、ＡＳＮＧＷ２０ｈ及びＣＳＮ１４を経由する通信経路である。
【００３７】
ＷｉＭＡＸＧＷ基地局制御システム１０では、移動端末１２はステップＳ８でメッセージ「HO＿START」を基地局１８ａに送信してから、ステップＳ１０で通信経路を確立するまでは通信不能期間となる。従来のＷｉＭＡＸシステム１００では、ステップＳ１０に相当する処理において、移動端末１２の個別情報の取得（所要時間約３ｍｓ）、通信経路の確立（所要時間約３０ｍｓ）、認証処理（所要時間約３ｍｓ）を行っていた。ＷｉＭＡＸＧＷ基地局制御システム１０では、移動端末１２がハンドオーバする前に、移動端末１２が基地局１８ａを経由してＣＳＮ１４と通信経路を確立しているステップＳ３において、これらの処理を事前に行うことにより、通信不能時間を大幅に短縮することができる。すなわち、個別処理の取得は、ステップＳ３において、事前にＡＳＮＧＷ２０ｈから取得しているので、個別情報の取得のための所要時間分、通信不能時間を短縮することができる。また、通信経路の確立では、ステップＳ３において生成した仮通信経路を用いて確立するので、通信経路の確立のための所要時間分、通信不能時間を短縮することができる。さらに、認証処理では、ステップＳ３で既に仮認証しており、認証管理部３８ｂでは取得した個別情報と、ＡＳＮＧＷ２０ｈから既に取得済みの移動端末１２の個別情報との照合だけで認証することができ、結果として、認証処理のための所要時間のほとんどの部分、通信不能時間を短縮することができる。その結果、ハンドオーバを伴う移動端末１２の移動の際に移動速度を上げることが可能となる。
【００３８】
次に、ＷｉＭＡＸＧＷ基地局制御システム１０の変形例であるＷｉＭＡＸＧＷ基地局制御システム１０Ａを説明する。図５は、変形例の説明図であり、図６は、基地局１８ａ〜１８ｉの配置及び各基地局の移動端末１２との無線通信可能範囲の説明図である。
【００３９】
ＷｉＭＡＸＧＷ基地局制御システム１０Ａでは、ＷｉＭＡＸＧＷ基地局制御システム１０において、移動端末１２が基地局１８ａから１８ｂにハンドオーバした後に、さらに、基地局１８ｂから基地局１８ｉにハンドオーバする場合である。基地局１８ｉは、図５に示すようにＡＳＮ１６とは異なるＡＳＮ２２内に存在し、基地局１８ｉはＡＳＮＧＷ２０ｉと接続し、さらに、ＡＳＮＧＷ２０ｉはＣＳＮ１４とも接続する。ＡＳＮＧＷ２０ｉの内部構成は、ＡＳＮＧＷ２０ａ〜２０ｈと同一の構成となっている。なお、ＷｉＭＡＸＧＷ基地局制御システム１０と同一の構成要素には同一の参照符号を付し、その詳細な説明を省略する。
【００４０】
ＷｉＭＡＸＧＷ基地局制御システム１０Ａでは、ＷｉＭＡＸＧＷ基地局制御システム１０における基地局１８ａは基地局１８ｂとして、基地局１８ｂは基地局１８ｉとして、ＡＳＮＧＷ２０ａはＡＳＮＧＷ２０ｂとして、ＡＳＮＧＷ２０ｂはＡＳＮＧＷ２０ｉとして機能する。
【００４１】
移動端末１２が基地局１８ｂから基地局１８ｉにハンドオーバする場合には、ＷｉＭＡＸＧＷ基地局制御システム１０のステップＳ１〜Ｓ９までと同様な処理が行われる。但し、ステップＳ３において、ＡＳＮＧＷ２０ｉの経路制御部４０ｉが生成する仮通信経路は、基地局１８ｂとＡＳＮＧＷ２０ｉが属するＡＳＮ２２がＡＳＮ１６と異なるために、アンカーＡＳＮＧＷであるＡＳＮＧＷ２０ｈを経由せずに、基地局１８ｉ、ＡＳＮＧＷ２０ｉ、ＣＳＮ１４と生成される。
【００４２】
その後の処理は、ステップＳ９において、ＡＳＮＧＷ２０ｉのハンドオーバ制御部３４ｉがＡＳＮＧＷ２０ｂに対して移動端末１２のハンドオーバを受け入れる旨を返信する。その後、移動端末１２は基地局１８ｉと通信可能な範囲内に移動し、基地局１８ｉのハンドオーバ制御部３４ｉが移動端末１２と通信可能な範囲内への移動を確認し、移動端末１２からの認証要求がＡＳＮＧＷ２０ｉに対してされる。認証管理部３８ｉではこの認証要求と、ＡＳＮＧＷ２０ｈから既に取得済みの移動端末１２の個別情報とを照合し、一致を確認すると経路制御部４０ｉは、既に生成した仮通信経路を利用して、基地局１８ｉからＡＳＮＧＷ２０ｉ及びＣＳＮ１４を経由する通信経路を確立する。
【００４３】
ＡＳＮＧＷ２０ｉでは、移動端末１２とＣＳＮ１４との通信経路を確立するとＡＳＮＧＷ２０ｉのハンドオーバ制御部３４ｉは、ステップＳ１１と同様にメッセージ「Ho＿Complete」を基地局１８ｂに送信し、メッセージ「Ho＿Complete」を受信した基地局１８ｂでは、ステップＳ１２と同様にＡＳＮＧＷ２０ｂの経路制御部４０ｂが移動端末１２とＣＳＮ１４との間で確立していた通信経路を削除する。
【００４４】
ＷｉＭＡＸＧＷ基地局制御システム１０Ａでは、基地局１８ｉは、基地局１８ｂが属するＡＳＮ１６と異なるＡＳＮ２２に属しており、ＡＳＮＧＷ２０ｉは、基地局１８ｉからＡＳＮＧＷ２０ｉ及びＣＳＮ１４を経由する通信経路を予め生成する。
【００４５】
ＷｉＭＡＸＧＷ基地局制御システム１０Ａでは、移動端末１２が、基地局１８ａからＡＳＮ２２に属する基地局１８ｉにハンドオーバする場合に、ＡＳＮＧＷ２０ｉにより予め生成される前記通信経路は、基地局１８ｉから、ＡＳＮＧＷ２０ｉ及びＣＳＮ１４を経由する通信経路である。
【００４６】
なお、移動端末１２のＣＳＮ１４を介しての接続はインターネット接続に限定されるものではなく、例えば、アプリケーションサービスプロバイダ（ASP：Application Service Provider）や公衆電話網との接続であってもよい。
【００４７】
また、移動端末１２を識別するＩＤは、個々を識別することができれば特に限定されるものではなく、例えば、ＩＰアドレス、ＭＡＣアドレスを用いることができる。
【００４８】
本発明は、上述の実施の形態に限らず、本発明の要旨を逸脱することなく、種々の構成を採り得ることはもちろんである。
【図面の簡単な説明】
【００４９】
【図１】本発明の実施形態に係るＷｉＭＡＸＧＷ基地局制御システムの構成の説明図である。
【図２】基地局の配置及び各基地局と移動端末との無線通信可能な範囲の説明図である。
【図３】ＡＳＮＧＷの構成の説明図である。
【図４】ＷｉＭＡＸＧＷ基地局制御システムの通信制御の説明図である。
【図５】本発明の実施形態に係るＷｉＭＡＸＧＷ基地局制御システムの変形例の説明図である。
【図６】図５に示す変形例における基地局の配置及び各基地局と移動端末との無線通信可能範囲の説明図である。
【図７】従来の一般的なＷｉＭＡＸの全体のシステムの説明図である。
【符号の説明】
【００５０】
１０、１０Ａ…ＷｉＭＡＸＧＷ基地局制御システム
１２…移動端末（ＭＳ）              １４…ＣＳＮ
１６、２２、１０２…ＡＳＮ
１８ａ〜１８ｉ、１０４ａ、１０４ｂ…基地局（ＢＳ）
２０ａ〜２０ｉ、１０６ａ、１０６ｂ…ＡＳＮＧＷ
３０ａ〜３０ｈ…データベース部      ３２ａ〜３２ｈ…ハンドオーバ初期設定部
３４ａ〜３４ｉ…ハンドオーバ制御部  ３６ａ〜３６ｈ…個別情報管理部
３８ａ〜３８ｉ…認証管理部          ４０ａ〜４０ｉ…経路制御部
４２ａ〜４２ｈ…インターフェース部  １００…ＷｉＭＡＸシステム
【図１】
0005210650.tif 000002
【図２】
0005210650.tif 000003
【図３】
0005210650.tif 000004
【図４】
0005210650.tif 000005
【図５】
0005210650.tif 000006
【図６】
0005210650.tif 000007
【図７】
0005210650.tif 000008